(57)【特許請求の範囲】
【請求項１】
テンプセット（１００）は、一方では、テンプ面（４）と直交するテンプ軸（３）と恊働するよう配設されたハブ（２）と、前記ハブ（２）に少なくとも１つの連結面（６）によって接続された、周縁部の連続的又は不連続的な外縁（５）とを含むテンプ（１）と、他方では、少なくとも１つのインサート（７）と、を備え、
前記テンプ（１）は更に、前記外縁（５）の周縁部に、前記少なくとも１つのインサート（７）を受容するための少なくとも１つの凹部（８）を備え、
前記インサート（７）は、前記凹部（８）が備えるガイド手段（９）と相補的な外形を有する相補的ガイド手段（９Ａ）を備える時計のテンプセット（１００）を作製する方法であって、
前記方法は、
−前記テンプ（１）及び／又は前記インサート（７）は、弾性保持手段（１０）を備え、前記弾性保持手段（１０）は、前記弾性保持手段（１０）に負荷がかかる第１の挿入位置に、前記インサート（７）を前記凹部（８）に挿入することができるよう配設され、また、前記弾性保持手段（１０）が解放される第２の保持位置に、前記インサート（７）が前記凹部（８）から除去されるのを防ぐよう配設され、
−各前記インサート（７）は、前記弾性保持手段（１０）に負荷をかけて前記第１の挿入位置にすることにより、前記凹部（８）に挿入され、
−前記凹部（８）への各前記インサート（７）の挿入が完了した後、前記弾性保持手段を前記第２の保持位置へと解放し、
前記弾性保持手段（１０）は、前記インサート（７）を前記凹部（８）の内側に、前記凹部（８）の内側の前記インサート（７）の枢軸（１７）に関して角度のある枢動位置で保持するよう配設されること、及び  前記弾性保持手段（１０）は、第１の弾性保持手段（１３）と第２の弾性保持手段（１４）に分割され、前記第１の弾性保持手段（１３）、又は前記第２の弾性保持手段（１４）は、それぞれ、前記第２の弾性保持手段（１４）、又は前記第１の弾性保持手段（１３）が前記インサート（７）を枢動させる時に、留めツメの機能を果たすことを特徴とする、テンプの慣性及び／又はバランス修正及び／又は発振周波数を調整するための慣性調整機能を有する、時計のテンプセット（１００）を作製する方法。
【請求項２】
前記テンプ（１）及び前記インサート（７）は、前記弾性保持手段（１０）を備えることを特徴とする、請求項１に記載の方法。
【請求項３】
前記テンプ（１）及び前記インサート（７）の前記弾性保持手段（１０）は、前記テンプ（１）の前記外縁（５）内に作製されること、並びに  前記外縁（５）は、精密機械加工可能な材料、即ちシリコン、又は水晶、又はこれらの化合物、又はＭＥＭＳ技術に由来する合金、又は「ＬＩＧＡ」法で得られる合金で、前記連結面（６）及び前記ハブ（２）と単一の部品として作製されることを特徴とする、請求項１に記載の方法。
【請求項４】
テンプの慣性及び／又はバランス修正及び／又は発振周波数を調整するための慣性調整を有する、時計のテンプセット（１００）であって、
前記テンプセット（１００）は、一方では、ガイド手段（９）を有する少なくとも１つの凹部（８）を含むテンプ（１）と、他方では、前記ガイド手段（９）と相補的な外形を有する相補的ガイド手段（９Ａ）を備える少なくとも１つのインサート（７）を備え、
前記テンプ（１）及び／又は前記インサート（７）は、弾性保持手段（１０）を備え、前記弾性保持手段（１０）は、前記弾性保持手段（１０）に負荷がかかる第１の挿入位置に、前記インサート（７）を前記凹部（８）に挿入することができるよう配設され、また、前記弾性保持手段（１０）が解放される第２の保持位置に、前記インサート（７）が前記凹部（８）から除去されるのを防ぐよう配設され、
前記弾性保持手段（１０）に負荷をかけて、前記第１の挿入位置にすることにより、前記インサート（７）を前記凹部（８）に挿入することができ、
前記凹部（８）への各前記インサート（７）の挿入が完了した後、前記インサート（７）を前記凹部（８）の内側に保持するために、前記弾性保持手段（１０）を前記第２の保持位置へと解放することができ、
前記テンプ（１）は、請求項１〜３のいずれか１つに従って作製されており、弾性リップで形成され、かつ前記インサート（７）の両側に延伸して、前記インサート（７）に反対方向に負荷又はトルクをかける、少なくとも第１の弾性保持手段（１３）と第２の弾性保持手段（１４）を含む前記弾性保持手段（１０）を備えることを特徴とする、テンプセット（１００）。
【請求項５】
前記インサート（７）は、少なくとも２つのフランジ（７Ａ；７Ｂ）の間で把持及び密閉され、前記２つのフランジ（７Ａ；７Ｂ）は、前記外縁（５）の両側に、恒久的組付け手段によって互いに組み付けられるよう配設され、これによって、前記２つのフランジ（７Ａ；７Ｂ）で形成されるサブアセンブリは、前記外縁（５）に対して枢動又は並進運動するにあたり、最大１つの自由度を有することを特徴とする、請求項４に記載のテンプセット（１００）。
【請求項６】
前記インサート（７）は、前記テンプ（１）に挿入したあと、精密機械加工又はレーザによる材料除去を行うことができる材料で作製された少なくとも１つの可視面を有するように配設されることを特徴とする、請求項４に記載のテンプセット（１００）。
【請求項７】
前記弾性保持手段（１０）は、前記インサート（７）を前記凹部（８）の内側に、前記凹部（８）の内側の前記インサート（７）の枢軸（１７）に関して角度のある枢動位置で保持するよう配設されること、及び  前記インサート（７）の前記相補的ガイド手段（９Ａ）は、前記インサート（７）の周縁の歯部（１８）の形状に作製され、前記歯部（１８）は、互いに交差するような方向になっている前記弾性リップ（１３、１４）の端部（１３Ａ；１４Ａ）と恊働することを特徴とする、請求項４に記載のテンプセット（１００）。
【請求項８】
前記第１の弾性保持手段（１３）、又は前記第２の弾性保持手段（１４）は、それぞれ、前記第２の弾性保持手段（１４）、又は前記第１の弾性保持手段（１３）が前記インサート（７）を枢動させる時に、留めツメの機能を果たし、これによって、前記インサート（７）の枢軸（１７）の周りでの両枢動方向において二重ラチェット設定調整を実施することを特徴とする、請求項７に記載のテンプセット（１００）。
【請求項９】
前記弾性保持手段（１０）は、前記弾性手段を前記第２の保持位置から離そうとする負荷の効果の下で、前記凹部（８）の内側の前記インサート（７）を、前記凹部（８）の内側の前記インサート（７）の枢軸（１７）に関して枢動させるよう配設されることを特徴とする、請求項４に記載のテンプセット（１００）。
【請求項１０】
前記インサート（７）は、互いに相対して配置されるネジ切り通路部分（２１、２１Ａ）の間を移動することができる調整ネジ（２３）で形成されることを特徴とする、請求項４に記載のテンプセット（１００）。
【請求項１１】
前記ネジ切り通路部分（２１、２１Ａ）はそれぞれ、互いに対向する２つの直線の歯部（２２、２２Ａ）を作製する際に形成された、実質的に円形の断面を有する溝の形態の先細部分を備えることを特徴とする、請求項１０に記載のテンプセット（１００）。
【請求項１２】
前記先細部分は、少なくとも１つの弾性リップ（１３）の形態の弾性保持手段と組み合わせる際に、調整ネジ２３をクランプ留めし、前記調整ネジのネジ山（２５）は、前記先細部分を作製する際に作り出される先細の外形を有する歯部要素（２８、２８Ａ）と恊働し、前記歯部要素（２８、２８Ａ）は、切頂ネジ山を正確に再現することを特徴とする、請求項１１に記載のテンプセット（１００）。
【請求項１３】
前記弾性保持手段（１０）は、前記テンプ（１）の前記外縁（５）内に作製され、前記インサート（７）の径方向調整のために、前記インサート（７）を前記凹部（８）の内側に、前記テンプ軸（３）に関して径方向に保持するよう配設されることを特徴とする、請求項４に記載のテンプセット（１００）。
【請求項１４】
前記ガイド手段（９）及び前記相補的ガイド手段（９Ａ）は、前記第２の保持位置において、前記インサート（７）が前記凹部（８）の内側で並進運動及び／又は枢動できるように配設されることを特徴とする、請求項４に記載のテンプセット（１００）。
【請求項１５】
前記弾性保持手段（１０）は、前記テンプ（１）の前記外縁（５）内に作製され、前記インサート（７）を前記凹部（８）の内側に、前記テンプ軸（３）に関して径方向に保持するよう配設され、前記弾性保持手段（１０）は続いて、前記インサート（７）を前記凹部（８）内にある少なくとも１つの固定された又は弾性の停止部材（１２）に対して押す傾向のある軸受面（１１）を形成することによって、スラスト作用手段を形成することを特徴とする、請求項４に記載のテンプセット（１００）。
【請求項１６】
請求項４に記載の少なくとも１つのテンプセット（１００）を組み込んだばね−テンプであって、
前記外縁（５）は、精密機械加工可能な材料、即ちシリコン、又は水晶、又はこれらの化合物、又はＭＥＭＳ技術に由来する合金、又は「ＬＩＧＡ」法で得られる合金で、前記連結面（６）及び前記ハブ（２）と単一の部品として作製されることを特徴とする、ばね−テンプ。
【請求項１７】
請求項１６に記載の少なくとも１つのばね−テンプ、又は請求項４に記載の少なくとも１つのテンプセット（１００）を組み込んだ時計であって、
前記外縁（５）は、精密機械加工可能な材料、即ちシリコン、又は水晶、又はこれらの化合物、又はＭＥＭＳ技術に由来する合金、又はＬＩＧＡ法で得られる合金で、前記連結面（６）及び前記ハブ（２）と単一の部品として作製されることを特徴とする、時計。
【発明の詳細な説明】
【技術分野】
【０００１】
本発明は、テンプの慣性及び／又はバランス修正及び／又は発振周波数を調整するための慣性調整機能を有する、時計のテンプセットを作製する方法に関し、このテンプセットは、一方では、テンプ面と直交するテンプ軸と恊働するよう配設されたハブと、上記ハブに少なくとも１つの連結面によって接続された、周縁部の連続的又は不連続的な外縁とを含むテンプと、他方では、少なくとも１つのインサートと、を備える。上記テンプは更に、上記外縁の周縁部に、上記少なくとも１つのインサートを受容するための凹部を備え、上記インサートは、上記凹部が備えるガイド手段と相補的な外形を有する相補的ガイド手段を備える。
【０００２】
本発明は更に、このタイプのテンプセットのために設計された、テンプの慣性及び／又はバランス修正及び／又は発振周波数を調整するための慣性調整機能を有する、時計のテンプに関し、このテンプは、テンプ面と直交するテンプ軸と恊働するよう配設されたハブと、上記ハブに少なくとも１つの連結面によって接続された、周縁部の連続的又は不連続的な外縁とを含む。上記テンプセットは、上記外縁の周縁部に、少なくとも１つのインサートを受容するための少なくとも１つの凹部を備え、上記インサートは、上記凹部が備えるガイド手段と相補的な外形を有する相補的ガイド手段を備える。
【０００３】
本発明は更に、テンプの慣性及び／又はバランス修正及び／又は発振周波数を調整するための慣性調整機能を有する、時計のテンプセットに関し、このテンプセットは上記方法に従って組付けられ、テンプを備え、このテンプは、一方では、テンプ面と直交するテンプ軸と恊働するよう配設されたハブと、上記ハブに少なくとも１つの連結面によって接続された、周縁部の連続的又は不連続的な外縁とを含む。上記テンプは、上記外縁の周縁部に、上記少なくとも１つのインサートを受容するための凹部を備え、上記インサートは、上記凹部が備えるガイド手段と相補的な外形を有する相補的ガイド手段を備える。
【０００４】
本発明はまた、このタイプのテンプを組み込んだばね−テンプにも関する。
【０００５】
本発明はまた、このタイプのばね−テンプ又はテンプを組み込んだ時計にも関する。
【０００６】
本発明は、時計の統制部材の分野に関し、より詳細には、テンプ又はばね−テンプに関する。
【背景技術】
【０００７】
キャリバーの精度は、その統制部材の品質に依存し、特にテンプに関して適切な統制部材を考案しない限り、２．５〜４Ｈｚの通常の周波数に比べて極めて高い、例えば１０Ｈｚの発振周波数を得ることはできない。
【０００８】
実際、弾性ヒゲゼンマイトルクの形で発振を維持するために供給されるエネルギは、一方で枢軸の周りでのテンプの慣性と、他方で周波数の２乗との積に比例する。よって、例えば、エネルギが同じであれば、４Ｈｚから１０Ｈｚへの周波数の変化により、慣性は約１／６になる。このタイプのテンプは従来より、９〜１０ｍｍの直径を有するため、周波数が４Ｈｚである場合、テンプの慣性としては１２ｍｇ／ｃｍ2が良好と考えられる。よって、１０Ｈｚで使用するテンプは、小さい慣性値、特に２ｍｇ／ｃｍ2未満の慣性値を有する必要がある。
【０００９】
最適な動作のために、１０Ｈｚで使用するテンプはまた、最小の質量、特に３０ｍｇ未満の質量を有する必要があり、これによって軸受における摩擦を減少させて、様々な使用位置における等時性の妨害を回避する。
【００１０】
高周波数発振子のテンプはまた、その質量及び慣性が小さくても、静的にも動的にも、アンバランスの調整と完璧なバランス修正を行うことができなければならず、その構造は、設定及び／又は調整操作を可能にするものでなければならない。従って、Ｓｔｒａｕｍａｎｎによる特許文献１、又はＬＩＰによる特許文献２に開示されている、外縁がスポークを有するテンプのような、重量が軽めのテンプを用いた従来技術又は解決法を用いることはできない。実際、これらのテンプの質量を減少させても、十分に低い慣性を得られるわけではない。同様に、ＭＯＮＴＲＥＳ  ＢＲＥＧＵＥＴ  ＳＡによる特許文献３による、チタン製の外縁及びアームを備えかつ部品が削減されているチタン製テンプの質量及び慣性でも依然として、最適な動作に必要な質量及び慣性よりも大きい。
【００１１】
５００程度のＱ値、良質の時計において２２０〜２８０付近のＱ値である従来の発振子よりも有意に高いＱ値も必要とされる。このＱ値は、シリコン製などのヒゲゼンマイを上述の条件を満たすテンプと組み合わせることによってしか得られない。高いＱ値を得ることに加えて、設定及び調整の可能性と組み合わせて、インデックス組立体を削除することも必要である。
【００１２】
その上、ユニットの質量は制限されているため、好ましくは、構成要素の数を可能な限り少なくするべきである。
【００１３】
しかし、シリコンや水晶等の精密機械加工可能な材料は、製造工程において、理論的には極めて精密な許容公差で限定された寸法で作製されるが、あとで機械加工するのが容易ではない。
【００１４】
テンプの改良を記載した様々な文献が公知である。ＲＯＬＥＸ  ＭＯＮＴＲＥＳによる特許文献４は、慣性ブロックピンで形成されるインサートをロックする、スロットの形状の弾性保持手段を備えるテンプ外縁を開示する。ＣＯＭＰＬＩＴＩＭＥ  ＳＡによる特許文献５は、摩擦係合のためのスロットを設けた慣性ブロックを開示する。ＣＨＯＰＡＲＤ  ＭＡＮＵＦＡＣＴＵＲＥ  ＳＡによる特許文献６は、外縁の凹部に弾性変形によって挿入される、Ｕ字形の弾性慣性ブロックを開示する。ＲＯＬＥＸ  ＷＡＴＣＨＥＳによる特許文献７は、慣性ブロックを保持し、弾性的に把持するためのスリットスリーブを開示する。ＰＡＴＥＫ  ＰＨＩＬＩＰＰＥによる特許文献８は、それ自体の弾性によってスタッド上にセンタリングされ固定される、調整錘を開示する。ＰＡＵＬ  ＤＩＴＩＳＨＥＩＭによる特許文献９は、ネジ切りされていてもいなくてもよいキャビティの壁に、それ自体の弾性によって保持される、はみ出すことのない充填式錘を開示する。ＰＡＴＥＫ  ＰＨＩＬＩＰＰＥによる特許文献１０は、スタッド上に弾性的に設置される調整錘であって、その重心は上記スタッドの中心から外れている、調整錘を提示する。
【００１５】
従って、このような材料で作製した部材を統制するために、又はこのタイプの材料で作製した少なくとも１つの構成要素を組み込むために、機械加工を回避し、設定可能性を優先しながら、周波数及び／又は慣性調整の可能性を有することが必要である。
【先行技術文献】
【特許文献】
【００１６】
【特許文献１】フランス特許第１２７５３５７号
【特許文献２】フランス特許第１３０１９３８号
【特許文献３】欧州特許第１５６２０８７号
【特許文献４】スイス特許第３４３９０４Ａ号
【特許文献５】ＷＯ２００８／０８０５７０Ａ２
【特許文献６】欧州特許第１３５１１０３Ａ１号
【特許文献７】スイス特許第３４５６００Ａ号
【特許文献８】スイス特許第２６１４３１Ａ号
【特許文献９】スイス特許第８９２７３Ａ号
【特許文献１０】スイス特許第２８００６７Ａ号
【発明の概要】
【００１７】
発明的ステップは、ハブ、外縁、及びこれら２つの構成要素の間の接続を含むできる限り軽量なテンプ構造に関する条件を、上記ハブを上記構造より高い質量密度から最も遠くに移動させることによって作り出すこと、並びに、上記構造の中に、機械加工を繰り返すことなく設定及び調整を実施するための統制手段を組み込むこと、からなる。
【００１８】
従って、本発明は、テンプの慣性及び／又はバランス修正及び／又は発振周波数を調整するための慣性調整を行う。時計のテンプに関し、このテンプは、テンプ面と直交するテンプ軸の周りで枢動するアーバと恊働するよう配設されたハブと、上記ハブに少なくとも１つの連結面によって接続された、周縁部の連続的又は不連続的な外縁とを備える。上記テンプは、上記外縁の周縁部に、上記少なくとも１つのインサートを受容するための少なくとも１つの凹部を備え、上記インサートは、上記凹部が備えるガイド手段と相補的な外形を有する相補的ガイド手段を備えるタイプのインサートであり、上記凹部は、上記インサートを上記凹部に挿入したあとに、上記インサートを上記凹部の内側に保持するための弾性保持手段を備え、上記弾性手段は、上記インサートの両側に延伸して、上記インサートに反対方向に負荷又はトルクをかける、少なくとも２つの弾性リップを含む。
【００１９】
本発明の特徴によると、上記弾性保持手段は、上記テンプの上記外縁内に作製され、上記インサートの径方向の調整のために、上記インサートを上記凹部の内側に、上記テンプ軸に関して径方向に保持するよう配設される。
【００２０】
本発明の特徴によると、上記弾性保持手段は、上記テンプの上記外縁内に作製され、上記インサートを上記凹部の内側に、上記テンプ軸に関して径方向に保持するよう配設され、上記弾性保持手段は更に、上記インサートを、上記凹部内にある少なくとも１つの固定された又は弾性の停止部材に対して押す傾向のある、軸受面で形成されるスラスト作用手段を形成する。
【００２１】
本発明の特徴によると、上記弾性保持手段は、上記テンプの上記外縁内に作製され、上記インサートを上記凹部の内側に、上記外縁に関して接線方向に保持するよう配設される。
【００２２】
本発明の特徴によると、上記弾性保持手段は、上記テンプの上記外縁内に作製され、上記インサートを上記凹部の内側に、上記テンプ軸に関して径方向にも、上記外縁に関して接線方向にも保持するよう配設される。
【００２３】
本発明の特徴によると、上記弾性保持手段は、第１の弾性保持手段及び第２の弾性保持手段を含み、上記第１の弾性保持手段、又は上記第２の弾性保持手段は、それぞれ、上記第２の弾性保持手段、又は上記第１の弾性保持手段が上記インサートを枢動させる時に、留めツメの機能を果たす。
【００２４】
本発明の特徴によると、上記外縁は、精密機械加工可能な材料、即ちシリコン、又は水晶、又はこれらの化合物、又はＭＥＭＳ技術に由来する合金、又は「ＬＩＧＡ」法で得られるタイプの合金で、上記連結面及び上記ハブを有する単一の部品として作製される。
【００２５】
本発明は更に、テンプの慣性及び／又はバランス修正及び／又は発振周波数を調整するための慣性調整機能を有する、時計のテンプセットに関し、このテンプセットは、一方では、ガイド手段を有する少なくとも１つの凹部を含むテンプと、他方では、上記ガイド手段と相補的な外形を有する相補的ガイド手段を備える少なくとも１つのインサートを備え、上記テンプ及び／又は上記インサートは、弾性保持手段を備え、この弾性保持手段は、上記弾性保持手段に負荷がかかる第１の挿入位置に、上記インサートを上記凹部に挿入することができるよう配設され、また、上記弾性保持手段が解放される第２の保持位置に、上記インサートが上記凹部から除去されるのを防ぐよう配設され、上記弾性保持手段に負荷をかけて、上記第１の挿入位置にすることにより、上記インサートを上記凹部に挿入することができ、上記凹部への各上記インサートの挿入が完了した後、上記インサートを上記凹部の内側に保持するために、上記弾性保持手段を上記第２の保持位置へと解放することができる。上記テンプは、上記弾性手段を備え、この弾性手段は、上記インサートの両側に延伸して、上記インサートに反対方向に負荷又はトルクをかける、少なくとも２つの弾性リップを含む。
【００２６】
本発明の特徴によると、上記インサートは、弾性保持手段を備え、この弾性保持手段は、上記弾性保持手段に負荷がかかる第１の挿入位置に、上記インサートを上記凹部に挿入することができるよう配設され、また、上記弾性保持手段が解放される第２の保持位置に、上記インサートが上記凹部から除去されるのを防ぐよう配設される。
【００２７】
本発明の特徴によると、上記インサートは剛性である。
【００２８】
本発明の特徴によると、上記インサートは、少なくとも２つのフランジの間で把持及び密閉され、これらのフランジは、上記外縁の両側に、恒久的組付け手段によって互いに組み付けられるよう配設され、これによって、上記２つのフランジで形成されるサブアセンブリは、上記外縁に対して枢動又は並進運動するにあたり、最大１つの自由度を有する。
【００２９】
本発明の特徴によると、上記インサートは、上記テンプに挿入したあと、精密機械加工又はレーザによる材料除去を行うことができる材料で作製された少なくとも１つの可視面を有するように配設される。
【００３０】
本発明の特徴によると、上記ガイド手段及び上記相補的ガイド手段は、上記第２の保持位置において、上記インサートが上記凹部の内側で並進運動又は枢動できるように配設される。
【００３１】
本発明の特徴によると、上記弾性保持手段は、上記インサートを上記凹部の内側に、上記凹部の内側の上記インサートの枢軸に関して角度のある枢動位置で保持するよう配設される。
【００３２】
本発明の特徴によると、上記弾性保持手段は、共に弾性リップで形成される第１の弾性保持手段及び第２の弾性保持手段を含み、上記インサートの上記相補的ガイド手段は、上記インサートの周縁の歯部の形状に作製され、これは、互いに交差するような方向になっている上記弾性リップの端部と恊働する。
【００３３】
本発明の特徴によると、上記第１の弾性保持手段、又は上記第２の弾性保持手段は、それぞれ、上記第２の弾性保持手段、又は上記第１の弾性保持手段が上記インサートを枢動させる時に、留めツメの機能を果たし、これによって、上記インサートの枢軸の周りでの両枢動方向において二重ラチェット設定調整を実施する。
【００３４】
本発明の特徴によると、上記弾性保持手段は、上記手段を上記第２の保持位置から離そうとする負荷の効果の下で、上記凹部の内側の上記インサートを、上記凹部の内側の上記インサートの枢軸に関して枢動させるよう配設される。
【００３５】
本発明の特徴によると、上記インサートは、それぞれネジ切り通路部分又はノッチ若しくは溝の間を移動することができる、調整ネジ又はスプライン付きシャフトで形成され、このネジ切り通路又はノッチ若しくは溝は、互いに相対して配置され、かつ２つの相対する弾性リップに担持されており、また、これらは、上記インサートを調整後にロックするために配設される。
【００３６】
本発明はまた、少なくとも１つのこのようなテンプセット又は少なくとも１つのこのようなテンプを組み込んだばね−テンプにも関し、テンプの外縁は、精密機械加工可能な材料、即ちシリコン、又は水晶、又はこれらの化合物、又はＭＥＭＳ技術に由来する合金、又は「ＬＩＧＡ」法で得られるタイプの合金の、上記連結面及び上記ハブと単一の部品である。
【００３７】
本発明は更に、少なくとも１つのこのタイプのばね−テンプ又は少なくとも１つのこのタイプのテンプ又は少なくとも１つのこのタイプのテンプセットを組み込んだ時計に関し、テンプの外縁は、精密機械加工可能な材料、即ちシリコン、又は水晶、又はこれらの化合物、又はＭＥＭＳ技術に由来する合金、又は「ＬＩＧＡ」法で得られるタイプの合金の、上記連結面及び上記ハブと単一の部品である。
【００３８】
本発明は更に、少なくとも１つのこのようなテンプを組み込んだばね−テンプに関する。
【００３９】
本発明はまた、少なくとも１つのこのようなばね−テンプ又は少なくとも１つのこのようなテンプを組み込んだ時計にも関する。
【００４０】
シリコンの好ましい使用により、極めて軽量かつ極めて剛性の高いテンプ構造を得ることができ、このテンプ構造は、ハブと外縁の間の接合領域においてハニカム構造であってよい。周縁部におけるインサートの担持は、ネジによって提供してよく、これは、テンプの総質量が極めて小さいにも関わらず適切な寸法を有する慣性を得るのに役立つ。調整及びバランス修正機能を保証し、促進する。
【００４１】
このタイプのテンプは、１０Ｈｚ及び１０Ｈｚより高い周波数における良好な動作に完璧に適している。
【００４２】
本発明の他の特徴及び利点は、添付の図面を参照して、以下の記載を読むことによって明らかになるであろう。
【図面の簡単な説明】
【００４３】
【図１】図１は、本発明によって作製された、第１のテンプセットの変形例の外縁の周縁部を詳細に示した、テンプ軸に垂直な概略部分断面図である。
【図２】図２は、本発明の第２の変形例の、図１と同様の図である。
【図３】図３は、本発明の第３の変形例の、図１と同様の図である。
【図４】図４は、本発明の第４の変形例の、図１と同様の図である。
【図５】図５は、本発明の第５の変形例の、概略斜視図である。
【図６】図６は、図５の第５の実施形態を詳細に示した、図１と同様の図である。
【図７】図７は、特定のテンプ構造を詳細に示した、概略部分正面図である。
【図８】図８は、図５の第５の実施形態を詳細に示した、テンプ軸を通る概略部分断面図である。
【図９】図９は、本発明による第６のテンプの変形例の、概略部分斜視図である。
【図１０】図１０は、図９の第６の変形例の、概略部分端面図である。
【図１１】図１１は、第６の変形例によるテンプセットの、概略部分正面図である。
【図１２】図１２は、本発明による第７のテンプの変形例の、概略部分斜視図である。
【図１３】図１３は、図１２の第７の実施例の、概略部分端面図である。
【図１４】図１４は、第７の変形例によるテンプセットの、概略部分正面図である。
【発明を実施するための形態】
【００４４】
本発明は、時計の統制部材の分野に関し、より詳細には、テンプ又はばね−テンプに関する。
【００４５】
より詳細には、本発明は、１０Ｈｚ以上の高い発振周波数のテンプの製造を対象とする。
【００４６】
限定を意図するものではない５つの変形実施形態を図面に示す。
【００４７】
本発明は、テンプの慣性及び／又はバランス修正及び／又は発振周波数を調整するための慣性調整機能を有する、時計のテンプセット１００の作製に関する。
【００４８】
時計のテンプセット１００は、テンプの慣性及び／又はバランス修正及び／又は発振周波数を調整するための慣性調整機能を有する、時計のテンプ１を含む。このテンプ１は、テンプ面４と直交するテンプ軸３の周りで枢動するアーバと恊働するよう配設されたハブ２と、周縁部の連続的又は不連続的な外縁５とを備える。この外縁５は、実際には、テンプをより軽量化するために不連続であってよい。図５に示す連続的な外縁５は、良好な剛性及び良好な空気力学特性という利点を提供し、また、テンプ１がワープするのを防止することにより、いかなる局所的な屈曲も制限する。
【００４９】
この外縁５は、少なくとも１つの連結面６によって、ハブ２に接続され、この連結面６は、穴の開いた若しくは開いていないディスクのような連続面から、又は複数のアーム２０によって形成してよい。穴の開いた連結面６、特に、良好な三角形分割を提供する側面部材の間に、貫通していてもいなくてもよい切り抜き部分を有する連結面６を作製することで、テンプの質量をさらに削減する。
【００５０】
好ましくは、以下に記載する全ての実施形態の全ての変形例では、１０Ｈｚ以上の周波数において高いレベルの性能を有するテンプを得るために、外縁５を、精密機械加工可能な材料、即ちシリコン、又は水晶、又はこれらの化合物、又はＭＥＭＳ技術に由来する合金、又は「ＬＩＧＡ」法で得られるタイプの合金、特に、限定するものではないが、「ＬＩＧＡ」法で得られるニッケル又はアルミをベースとした合金で、連結面６及びハブ２を有する単一の部品として作製する。シリコンを選択すると、特に良好な結果が得られるため、これは好ましい解決法である。
【００５１】
このテンプセット１００は更に、少なくとも１つのインサート７を受容するために、外縁５の周縁部に配置される、少なくとも１つの凹部８を含む。
【００５２】
このテンプセット１００は更に、少なくとも１つのインサート７を含む。このインサート７を、このタイプの凹部８の中で、外縁５上又は外縁５の内部に追加する。この凹部８は、ガイド手段９を備える。インサート７は、ガイド手段９と相補的な外形を有する相補的ガイド手段９Ａを含む。
【００５３】
好ましくは、インサート７又は上記インサートを形成する各部品を、外縁５を形成する第１の材料より密度が高い材料で作製する。
【００５４】
本発明によると、
−テンプ１及び／又はインサート７は、弾性保持手段１０を備えており、弾性保持手段１０は、この弾性保持手段１０に負荷がかかる第１の挿入位置に、インサート７を凹部８に挿入することができるよう配設され、また、弾性保持手段１０が解放される第２の保持位置に、インサート７が凹部８から除去されるのを防ぐよう配設される。好ましくは、テンプ１の少なくとも凹部８は、上記インサート７をその中に挿入したあと、このインサート７を凹部８内に保持するために、このタイプの弾性保持手段１０を含む。好ましくは、この弾性手段１０は、図２に示すように、少なくとも１つの弾性リップを含む。また、好ましくは、この弾性手段１０は、図１、３及び１２〜１４に示すように、上記インサート７の両側に延伸して、上記インサート７に反対方向に負荷又はトルクをかける、少なくとも２つの弾性リップ１３、１４を含む。
−弾性保持手段１０に負荷をかけて、第１の挿入位置にすることにより、各インサート７を凹部８に挿入する。
−凹部８への各インサート７の挿入が完了した後、弾性保持手段１０を第２の保持位置へと解放する。
【００５５】
よって、この弾性保持手段１０は、図示したように、上記インサート７を凹部８へ挿入することができるように、また、上記インサート７が除去されるのを防止することができるように、配設される。好ましくは、手段１０を、好ましくは逆に組付けることができないクリップ手段及び相補的クリップ手段によって形成する。
【００５６】
好ましくは、ガイド手段９及び相補的ガイド手段９Ａは、上記インサート７が凹部８の内側で並進運動及び／又は枢動できるように配設される。
【００５７】
ある程度の自由度による並進運動を、図１及び１１に図示する。
【００５８】
ある程度の自由度による枢動を、図２〜７に図示する。この場合、限定するものではないが、好ましくは、ガイド手段９及び相補的ガイド手段９Ａは、正確な円筒形であるか、または実質的な円筒形である。
【００５９】
従って、本発明の結果、テンプセット１００が形成され、このテンプセット１００は、特に１０Ｈｚ以上の高い周波数で発振することができ、また、精密な設定又は調整操作を可能とすることができる。このテンプセット１００は、弾性保持手段１０を以下のどこに作製することを選択するかによって、異なる構成を有してよい：
−テンプ１上；
−１つ又は複数のインサート７上；
−一方でテンプ１上、他方で１つ又は複数のインサート７上の両方。
【００６０】
特定の実施形態では、インサート７として剛性のものを選択し、弾性保持手段１０をテンプ１の外縁５内に作製する。
【００６１】
第１の実施形態では、弾性保持手段１０をテンプ１上に配置する。そしてインサート７は、剛性でも弾性でもよい。
【００６２】
有利な実施形態では、テンプ１が備える凹部８のうち少なくとも１つは、上記インサート７をその中に挿入したあと、インサート７を凹部８内に保持するために、弾性保持手段１０を含む。好ましくは、これらの凹部８のうちいくつか、好ましくはこれらの全てが、この弾性保持手段１０を備え、これらは、以下に記載するような様々な変形例に配設してよい。テンプ１をシリコンから作製する場合、シリコンの特性は、テンプ１の本体に組み込む弾性保持手段１０を形成するのに特に適している。
【００６３】
第２の実施形態では、弾性保持手段１０をインサート７上に配置する。
【００６４】
ここでは、弾性保持手段１０を１つ又は複数のインサート７上に作製し、テンプセット１００はテンプ１を含み、このテンプ１は、外縁５の周縁部に、少なくとも１つのインサート７を受容するための少なくとも１つの凹部８を含む点、及び凹部８は必ずしも弾性保持手段を含む必要はない点において、第１の実施形態のテンプ１とは異なる。実際、この第２の実施形態では、図４又は図７に示すように、挿入後に上記インサート７を凹部８内に保持するための弾性保持手段１０を含むのはインサート７であり、インサート７は、インサート７に十分な可撓性を与えるスロット１６を含む。よって、このインサート７は、スロット１６によるアンバランスを有するスリット入り慣性ブロックを形成し、この構成は、特に上記テンプ１をシリコン等で作製した場合、テンプ１に破壊点を超える力を加えることなく、１つの部分が他の部分に嵌合できることを意味する。このスロット１６はまた、有利には、凹部８内にあるスロット１６の枢軸１７に関するスロット１６の枢動を調整するためのツールの端部を受容するためにも用いる。
【００６５】
図示していない第３の実施形態では、弾性保持手段１０を、テンプ１上及び１つ又は複数のインサート７上の両方に作製する。ここで、インサート７は、このタイプの弾性保持手段１０を含み、凹部８もまた、挿入後にインサート７を凹部８内に保持するための弾性保持手段１０を含む。
【００６６】
第３の実施形態では、凹部８、インサート７及び弾性保持手段１０は、以下に説明する好ましい非限定的な構成を含む、様々な構成をとってよい。
【００６７】
好ましくは、弾性保持手段１０を、テンプ１の外縁５内に作製する。
【００６８】
図１の第１の変形例又は図１１の第６の変形例で図示した、第１の径方向の構成では、好ましくは外縁５内に作製された弾性保持手段１０を、特にインサート７の径方向の調整のために、インサート７を凹部８内に、テンプ軸３に関して径方向に保持するよう配設する。
【００６９】
好ましくは、図１に示すように、インサート７をこの径方向に保持し、弾性保持手段１０はまた、インサート７を、凹部８内にある少なくとも１つの固定された又は弾性の停止部材１２に対して押す傾向のある、軸受面１１で形成されるスラスト作用手段を形成する。
【００７０】
図２〜７の第２、第３、第４及び第５の変形例で図示した、第２の接線方向の構成では、弾性保持手段１０を、インサート７を凹部８内に、外縁５に関して接線方向に挿入及び／又は保持するよう配設する。
【００７１】
更に別の構成では、弾性保持手段１０を、インサート７を凹部８内に、テンプ軸３に関して径方向及び外縁５に関して接線方向の両方に保持するよう配設する。
【００７２】
図１の第１の変形例では、インサート７は外縁５の外径を径方向にスライドしてテンプ１に挿入され、径方向及び接線方向の保持のための弾性保持手段１０で、凹部８内の所定の位置に保持される。有利な実施形態では、弾性保持手段１０を、第１の弾性保持手段１３と第２の弾性保持手段１４に分割する。この弾性保持手段１０は、ここでは、軸受面１１を含み、インサート７の底部停止部材として作用するよう配設される第１の弾性リップ１３と、停止部材１２を備え、インサート７の頂部停止部材として作用するよう配設される第２の弾性リップ１４とで形成される、ばねとクリップの二重システムの形態をとる。第１の弾性保持手段１３及び第２の弾性保持手段１４は、有利には、好ましくは互いに平行でない方向に、特に互いに直交する方向に可動であり、かつインサート７に反対方向の負荷をかける、弾性リップで形成される。
【００７３】
この図１の第１の変形例では、インサート７が、テンプの調整及びバランス修正のための調整ネジを受容するための、図示していない少なくとも１つのネジ切りを備える。この調整ネジは、ネジ切り内で、テンプ軸３に対して径方向に可動である。
【００７４】
この第２の、接線方向の構成では、凹部８及びインサート７を、好ましくは、インサート７が凹部８に、テンプ軸３と平行な方向に確実に挿入されるよう配設する。
【００７５】
図２の第２の変形例は、この配置を示す。インサート７は、外縁５の上面又は底面を通って、部分的に弾性リップ１３で形成された円筒形の凹部８内へと駆動又はスライドされ、この弾性リップは、バネを形成してインサート７を所定の位置に保持する弾性保持手段１０も構成する。このインサート７はその枢軸１７に関して、アンバランスを有する。このアンバランスは、例えば、インサートによって作られ空っぽのままになっており、従って角度のある枢動調整を実施するためのツールを挿入することができる、空洞１５によるものであり得る。しかし、このアンバランスはまた、このタイプの空洞１５又は適当な凹部内での、インサート７よりも高い密度を有する追加の構成要素の組付けによるものでもあり得る。
【００７６】
好ましい実施形態では、弾性保持手段１０を、インサート７を凹部８内に、凹部８内の上記インサート７の枢動ピン１７に対して角度のある枢動位置に保持するよう配設する。好ましくは、インサート７のこの枢軸１７は、テンプ軸３と平行である。これは、図２〜６の変形例の場合である。
【００７７】
図３の第３の変形例に示すように、弾性保持手段１０を、上記保持手段を第２の保持位置から遠ざかるように動かす傾向のある負荷の効果の下で、凹部８の内側のインサート７を、枢軸１７に関して枢動させるように配設する。このインサート７は、好ましくは、図２の第２の変形例におけるものと同様、アンバランスを有するタイプのものであり、しかし、このインサート７は、歯部１８の形状に作製した相補的ガイド手段９Ａを有し、この相補的ガイド手段９Ａは、ここでは円筒形の空隙で形成した、凹部８のガイド手段９と恊働する。
【００７８】
この第３の変形例では、共に弾性保持手段１０を形成する第１の弾性保持手段１３、又は第２の弾性保持手段１４は、それぞれ、第２の弾性保持手段１４、又は第１の弾性保持手段１３がインサート７を枢動させる時に、留めツメとして作用する。ここでもまた、第１の弾性保持手段１３及び第２の弾性保持手段１４は、有利には、互いに交差するような方向になっており、かつ端部１３Ａ、１４ａが、インサート７の周縁部が担持する歯部１８と恊働する、弾性リップで形成される。この第３の変形例は、インサート７の枢軸１７の周りでの両枢動方向において二重ツメ設定調整を作り出す。それぞれ弾性リップで形成される第１の弾性保持手段１３及び第２の弾性保持手段１４は、インサート７に反対方向にトルクをかける。
【００７９】
周縁部の歯部１８を有するインサート７のこの配置は、特定の角度位置での保持を容易にするため、当然、他の変形例においても使用することができる。
【００８０】
図５及び８に示す第５の変形例では、インサート７を、少なくとも２つのフランジ７Ａ及び７Ｂの間で把持及び密閉し、これらのフランジは、上記外縁５の両側に、恒久的組付け手段によって互いに組み付けられるよう配設され、これらは例えば、リベット留めやボルト留め等の方法で、駆動、クリップ留め、接着等されており、これによって、これら２つのフランジ７Ａ及び７Ｂを組立てて形成されるサブアセンブリは、外縁５に対して枢動又は並進運動するにあたり、ある程度の自由度をその最大値で有する。この実施形態は、インサート７がテンプ１の外縁５に対して分離するのを防ぐ。これらのフランジ７Ａ及び７Ｂのような、少なくとも２つの相補的な部品の中にインサート７を作製することも想定できる。
【００８１】
図２〜４の第２、第３又は第４の変形例を組み合わせることができる特定の実施形態では、テンプセット１００が備える全ての又は一部のインサート７は、上述のような２つの部品７Ａ及び７Ｂの中のインサート７の形態で作製される。
【００８２】
後続の精密な調整の可能性を留保しておくために、図５に示すように、インサート７を、テンプ１に挿入したあと、精密機械加工又はレーザによる材料除去を行うことができる材料で作製された少なくとも１つの可視面を有するように作製する。実際、これによって、一方で、アンバランスを調整することでテンプ１のバランスを都合良く修正でき、他方で慣性を修正でき、特に、発振周波数を極めて高い精度で調整できるはずである。テンプのバランス修正は重要な操作であり、マイクログラム×ｃｍオーダーの高いバランス修正精度が要求される。
【００８３】
有利には、各インサート７に、以下のことを別個に又は同時に可能とするために、特定の形状を与える：
−テンプ面４に平行な、平坦な「平行面」、又は、テンプ面４及びテンプ軸３から始まる径方向の直線に垂直な、平坦な「端面」で形成される、少なくとも１つの平坦な面が存在することにより、バランス修正を容易にする。同一のインサート７は、１つ又は複数の平行面及び１つ又は複数の端面の両方を含んでよい；
−テンプ面４及びテンプ軸３を通る平面に垂直ないずれの部分において、インサート７は、それ自体と空気との摩擦を減らすために、放射状及び／又は傾斜した空気力学的プロフィールを含むことにより、空気力学的抗力を減少させる。空気力学的抗力を制限するために、各インサート７を好ましくは、有利には調整ネジ等のような追加の要素を備えてよい上記インサート７を形成し得る部品のあらゆる相対位置において、外縁５に外接する円筒から距離を置いて設置する。
【００８４】
このようにすると、これらの表面の１つへのミリング、エッチング若しくはその他の手段によって、又は、特に鑞接、溶接、若しくはインサート７の可視面が金属である場合はプラズマによる、材料の追加によって、容易にバランス修正を行うことができる。
【００８５】
好ましい実施形態では、少なくとも１つのアーム２０で連結面６を形成する。シリコン技術を使用することにより、このアームをいかなる外形にも、特に局面を有する、又はその他の外形にも適合させ得る。アーム２０は、このアームを横切っていてもいなくてもよい、軽量の部分を備えてもよく、これは例えば三角形のポケット形状であり、これにより、重量が有意に減少するにもかかわらず剛性を提供することができる。図５は、直径の反対側で対になっている整数本のアームを有する例を示す。
【００８６】
図７は、様々な部品からなる、穴の開いた構造を備えるアーム２０を有する例示的実施形態を示し、これは、リブ３０で分割された、連結面６の、具体的にはアーム２０の全厚を貫通するポケット２９、及び／又は、連結面６の、具体的にはアーム２０の厚さの一部分だけ、例えば１／３だけを通過するブラインドポケット３１を有し、この厚さは、それぞれアーム２０の反対側に位置する、同等の厚さを有する別の同様のブラインドポケットによって、分割されている。適切に行われた三角形分割は、実質的な質量の節約を可能にする。機械抵抗及び捩れ抵抗に関して重要である側部３０は、有限要素を用いた従来の計算で決定することができる。当然、外縁５の環状部分にも、同様にして穴を開けてもよい。ディスク状等の連続的な連結面６が要求される場合も、同様である。
【００８７】
テンプを更に軽量化する目的で、外縁５は、その周縁部又は外縁５の内部に、１つ又は複数の切り抜き部分２３を備えてよい。
【００８８】
テンプ軸３に対するインサート７の径方向の挿入及び調整を含む、本発明の第１の、径方向の構成を、図９〜１１に示す第６の変形例で更に図示しており、ここでは、インサート７を、図１１で可視化されている調整ネジ２３で形成する。この調整ネジ２３は、実質的にテンプ１の正中面４Ａに互いに相対して配置された、ネジ切り通路部分２１及び２１Ａと恊働する。互いに対向する２つの直線の歯部２２及び２２Ａを作製する際に、実質的に円形の外形を有する溝と同じ形状の先細部分を作ることにより、好ましくはシリコンで作製したテンプ１内に、これらのネジ切り通路部分２１及び２１Ａを得る。「ＤＲＩＥ」プロセスによって、傾斜した先細部分又は上述の形状の先細部分を製造するが、ここでは後者の方が好ましく、それは、少なくとも１つの弾性リップ１３の形態で作製された弾性保持手段と組み合わせる際に、この形状によって調整ネジ２３をクランプ留めできるからである。上記ネジのネジ山２５は、円形先細部分を作製する際に平面４Ａに垂直な方向に作り出される先細歯部要素２８及び２８Ａと従来の方法で恊働し、この先細歯部要素２８及び２８Ａはそれぞれ、直線の歯部要素２２及び２２Ａを再現する。要するに、これらの歯部要素２８及び２８Ａは、切頂ネジ山を正確に再現する。調整ネジ２３を金などで作製し、調整スロット２４などを設けるよう選択することで、精度の高い調整が可能となる。この調整ネジ２３は、弾性リップ１３の、又は例えば凹部８の両側に２つ以上ある場合は複数の弾性リップの、適切なサイズ決めによって、凹部８にネジ込まれる。
【００８９】
第６の変形例を参照すると、調整ネジ２３をスプライン付きシャフト４０で置き換えてもよく、これは、歯部２８、２８Ａを置き換えたノッチ又は溝４１と恊働する。
【００９０】
この構成を、図１２〜１４に示す第７の有利な変形例の文脈で図示する。この第７の変形例は、インサート４０の両側にそれぞれ少なくとも１つの弾性リップ４２、４３を含む。これらの弾性リップ４２、４３は、スロット４４、４５を備える。
【００９１】
当然、この第７の変形例を、両側の歯部要素と恊働する調整ネジを有する第６の変形例に適合させてもよく、そうすると、これら歯部要素はそれぞれ、２つの弾性リップ４２、４３によって担持される
【００９２】
このスプライン付き又はノッチ付き又はこぶ付きシャフト４０は、回転するものである必要はないことに留意されたい。これらは特に、方形の部分、即ち平行な面の組を備える部分を有してよい。
【００９３】
ノッチ付きの壁の間にスプライン付き等のインサートを配設することによるこの解決法は、特に経済的な実施形態であり、ここで上記壁の少なくとも１つは弾性リップであり、好ましくはノッチ付き又はスプライン付きの２つの壁は弾性リップである。
【００９４】
可塑性変形を可能にする変形可能な層を形成する、特にシリコン化合物である基材より低い弾性係数を有する表面コーティングによって、この第６又は第７の変形例を改良することもできる。好ましくは、シリコン又はその化合物と組み合わせて、この表面コーティングのヤング率を８ＧＰａ未満、好ましくは４ＧＰａ未満に選択する。この変形可能な層は、特に、気相を蒸着したポリマー層で形成してよい。
【００９５】
この表面コーティングは、特にシリコン及びシリコン化合物である基材と良好な親和性を有するように選択する必要があり、インサート７又は調整ネジ２３のための凹部８を直接形成するためにも用いてよい。
【００９６】
本発明は更に、上述のいずれの実施形態及び変形例による少なくとも１つのこのようなテンプ１又は少なくとも１つのこのようなテンプセット１００を組み込んだ、ばね−テンプに関する。
【００９７】
本発明はまた、少なくとも１つのこのようなばね−テンプ、又は少なくとも１つのこのようなテンプ１若しくは少なくとも１つのこのようなテンプセット１００を組み込んだ、時計にも適用できる。
【００９８】
シリコンを使用することによって、同等の慣性を有する従来の構造のテンプで得られるよりも相当に大きな直径の寸法決めを行うことができる。シリコンの高い弾性は、本発明の弾性保持手段１０を作製するにあたって特に有利である。
【００９９】
特に、シリコンを選択することで、外縁５内に弾性保持手段１０を、とりわけ弾性リップ１３又は１４の形態で作製することができる。同様に、ツメの形態の停止手段を、シリコン製外縁内に作製したこのようなストリップ又はバネと組み合わせてもよい。
【０１００】
シリコン又は「ＬＩＧＡ」プロセスによって得られる若しくは一般にはＭＥＭＳ技術に由来する合金を選択することで、成形時の高い解像度のおかげで、外縁５のジオメトリを確実に極めて正確なものとし、従って、振動を発生させたり、発振子の適切な動作に悪影響を与えたりしがちないかなる遊びも回避する。
【０１０１】
更に、シリコンを選択することで、テンプ及び表面構造にエッチングや装飾の挿入を行うことが可能となる。
【０１０２】
好ましくは、各インサート７の各部品、及び／又は各調整ネジ２３は、重金属、即ち銅又はベリリウム又は金又はプラチナ又はタンタル又はモリブデン、又はその酸化物若しくは窒化物、又はその合金、又はこれらに基づく錯体の１つである材料で作製する。
【０１０３】
本発明によると、本発明によるシリコン製ヒゲゼンマイ及びテンプ又はテンプセットを組み込んだ発振子について、５００近いＱ値の測定値を得ることができる。
【０１０４】
一方でこの高いＱ値と、他方で、その実際の調整機能に加えて、バランス修正調整及び周波数設定操作の間に材料を追加又は除去するための機械加工プラットフォームとして作用する、という新しい機能を果たすインサートによって得られる、設定及び調整の可能性とを組み合わせることで、インデックス組立体の必要がなくなる。
【０１０５】
テンプの設計によって、テンプが一体化されているばね−テンプの発振周波数を極めて正確に調整することができる。テンプの設定及び調整は極めて正確であり、テンプを、１０Ｈｚ以上の高周波数で使用できる。
【０１０６】
達成するために提案した本発明の目的は、このようにして完全に達成される。
【図１】
0005551313.tif 000002
【図２】
0005551313.tif 000003
【図３】
0005551313.tif 000004
【図４】
0005551313.tif 000005
【図５】
0005551313.tif 000006
【図６】
0005551313.tif 000007
【図７】
0005551313.tif 000008
【図８】
0005551313.tif 000009
【図９】
0005551313.tif 000010
【図１０】
0005551313.tif 000011
【図１１】
0005551313.tif 000012
【図１２】
0005551313.tif 000013
【図１３】
0005551313.tif 000014
【図１４】
0005551313.tif 000015